(57)【要約】【課題】呼気を、臨床生化学検査の検体として実用上問題なく使用できるように、サンプリングの仕方やタイミングの違いによって生じる呼気成分ガス濃度のバラツキを補正する技術を提供する。【解決手段】【請求項１】呼気又は呼気試料中の成分ガス例えば一酸化炭素、水素、エチルアルコール、メタンなどの濃度をガス検知器で測定する場合に、併せて炭酸ガス濃度を測定し、炭酸ガス濃度を終末呼気炭酸ガス濃度に換算した場合の換算率で成分ガスの濃度を換算し、該換算した成分ガス濃度（補正濃度）をもって、終末呼気中の成分ガス濃度とする。終末呼気炭酸ガス濃度が既知或いは測定しうる場合はその値を使用し、未知或いは測定しえない場合であって且つ測定された呼気又は呼気試料中の炭酸ガス濃度が４．５〜５．０％に満たない場合、終末呼気炭酸ガス濃度を４．５〜６．５％、より好ましくは５〜６％の範囲内の任意の値とする。【選択図】      図３
2004279228.tif 000002
【特許請求の範囲】
【請求項１】
呼気又は呼気試料中の成分ガス濃度を測定する場合に、併せて炭酸ガス濃度を測定し、炭酸ガス濃度を終末呼気炭酸ガス濃度に換算した場合の換算率で成分ガスの濃度を換算し、該換算した成分ガス濃度（補正濃度）をもって、終末呼気中の成分ガス濃度とすることを特徴とする呼気中成分ガス濃度測定方法。
【請求項２】
被検者の終末呼気炭酸ガス濃度が既知或いは測定しうる場合、該既知或いは測定しうる炭酸ガス濃度を終末呼気炭酸ガス濃度とするものである、請求項１記載の呼気中成分ガス濃度測定方法。
【請求項３】
被検者の終末呼気炭酸ガス濃度が未知或いは測定しえない場合であって且つ測定された呼気又は呼気試料中の炭酸ガス濃度が４．５〜５．０％に満たない場合、終末呼気炭酸ガス濃度を４．５〜６．５％、より好ましくは５〜６％の範囲内の任意の値とするものである、請求項１記載の呼気中成分ガス濃度測定方法。
【請求項４】
成分ガスが一酸化炭素、水素、アルコール類、メタン等炭化水素、アルデヒド、アセトン、イソプレン又はアンモニアである、請求項１、請求項２または請求項３記載の呼気中成分ガス濃度測定方法。
【請求項５】
呼気又は呼気試料中の一酸化炭素、水素またはエチルアルコール濃度を測定するものであって、これらのガス成分を測定するための定電位電解法による検出器と炭酸ガスを測定するための測定範囲０〜１０％のＮＤＩＲ法による検出器を備えるとともに、測定されたガス成分と炭酸ガスの濃度をそれぞれ表示する表示部を備えたことを特徴とする呼気中の成分ガス測定装置。
【請求項６】
呼気試料中のメタン等の炭化水素や水素、エチルアルコール等の濃度を測定するものであって、これらのガス成分を測定するための半導体式検出器と炭酸ガスを測定するための測定範囲０〜１０％のＮＤＩＲ法による検出器を備えるとともに、測定されたガス成分と炭酸ガスの濃度をそれぞれ表示する表示部を備えたことを特徴とする呼気中の成分ガス測定装置。
【請求項７】
測定されたガス成分と炭酸ガスの濃度をそれぞれ表示する第１の表示部と、炭酸ガス濃度として、被検者の終末呼気中の炭酸ガス濃度が既知の場合はその数値、未知の場合には５〜６％の間の適宜の数値を入力表示するとともに、ガス成分濃度は補正濃度を表示する第２の表示部を備えたものである、請求項５又は請求項６記載の呼気中の成分ガス測定装置。
【請求項８】
第１の表示部と第２の表示部は、同じ表示装置を切り換えて使用するものである請求項７記載の呼気中の成分ガス測定装置。
【発明の詳細な説明】
【０００１】
【産業上の利用分野】
本発明は、呼気や呼気試料を分析して成分ガス濃度を再現性よく測定するものに係わり、殊に、呼気中の炭酸ガス濃度で呼気試料の質を判断したり呼気成分ガス濃度を補正するものに関する。
【０００２】
【従来の技術】
呼気は、人（或いは動物）が生命を維持している限り連続して間欠的に放出されるものである。しかも、肺胞毛細血管を流れる混合静脈血中の微量の揮発成分がガス交換により呼気中に移動するため、揮発成分に関しては呼気と血液の間には相関があると推察される。また、血液分析では困難な揮発成分の分別測定も可能であるし血液と異なり非侵襲であるので、呼気は臨床生化学検査の検体として理想的なものであると言える。
【０００３】
しかし、従来、呼気は臨床生化学検査の検体として殆ど用いられていない。これは、一つには呼気が臨床生化学検査の検体などになるはずが無いと言う先入観が関係者にあること、二つめには呼気中の検出対象ガスが窒素、酸素及び炭酸ガスを除いて極低濃度（ｐｐｂ  単位精々ｐｐｍ  単位）であり、そのため、微量成分の濃縮装置と大型の高感度ガス検出装置との組合せによって初めて測定可能になるものであることによる。従って、測定は特殊な機器や用具を熟練者が操作する実験室のみで行なわれ、臨床検査報告例は僅かしかない。更に三つめには、再現性が悪く、測定値（検査）の信頼性に欠けることである。
【０００４】
上記一つ目の問題に対しては、本発明者らの啓蒙活動等もあって徐々に研究が進められてきており、数百種とも言われる呼気ガス成分の分別や疾病と特定成分の増減など古くから知られている実験室的な知見が、臨床生化学検査と結ばれつつある。また二つ目の問題に対しては、各種ガス検知器の進歩により特定の呼気ガス成分の手軽で精密な測定が可能になってきつつある。
【０００５】
【発明が解決しようとする課題】
しかし、再現性については、いまだ根本的な解決はされていない。これは、呼気が血液と異なり、呼気サンプリングのタイミングによりガス成分の濃度が変動することによる。即ち、呼気は肺胞毛細血管中の血液とガス交換することにより揮発成分に関しては両者間に相関があることは事実であるが、ガス交換に要した時間の長短で濃度は変動する。また、呼気サンプルの大気による希釈の問題もある。一つは、気道でのガス交換は殆ど行われないため、呼気サンプル中に気道内（死腔）の呼気（空気）が混入すれば、濃度は低くなる。また、サンプリング中に大気が混入してもガス成分の濃度は低くなる。
【０００６】
このように、サンプリングの仕方やタイミングの違いによって濃度がバラツクような試料は、幾ら手軽で非侵襲であるとは言え、臨床生化学検査の対象とはなりえない。そこで、以前から呼気分析においては、終末呼気を対象にすることが行われている。終末呼気とは、息を吐ききる直前の呼気即ち肺胞部分に入り込んでいた呼気のことを言い、気道内（死腔）の呼気を含まないものを言う。この問題に対処するために、本発明者らは、死腔部分の空気を排除して呼気サンプリングを行う呼気分析方法（特開平１０−１８７）や、呼気採取容器（特願２００１−３６６６１７）を開発している。
【０００７】
ただ、終末呼気とは言っても、吸ってすぐ吐けば肺胞でのガス交換が十分には行われないので、一定時間（十数秒以上）の息堪えをした後の終末呼気（以下、真の終末呼気と言うこともある。）でなければ意味がない。このようにすれば、呼気は血液に代わりうる或いは補完する検体と成りうるものである。しかし、このような息堪えは重症患者などの意識不明者や恍惚の人では不可能であるし、老人や小児でも困難である。従って、呼気が検体としての意味を持つのは、息堪えのことが理解できる健常者が、医師などのマンツーマンの指導の下で行われる場合に限られる。
【０００８】
呼気検査の利点は、急性のアルコール中毒や一酸化炭素中毒など緊急な測定に迅速に対処しうることや、ＣＯ２  −ＣＯによる呼吸機能検査のように頻回な検査に対応しうる点にあるが、上記のような状態では、汎用性のある技術と言うことはできない。また本発明者らは、終末呼気を呼気バッグに採取して送付してもらい、呼気試料中のアセトン濃度で食事療法による痩身治療の経過をモニターするシステムを企画している。このシステムでは、十分な息堪えの後の終末呼気を呼気バッグに採取することが前提になるが、これが正しく守られているか否かは、分析者側では全くわからない。
【０００９】
【課題を解決するための手段】
このような観点から、本発明者らは呼気や呼気試料が真の終末呼気を反映するように補正する技術について鋭意研究した結果、呼気中の炭酸ガスに着目して本発明を完成させたものである。
【００１０】
即ち、激しい運動の後や過度呼吸状態ではない安静時（通常時）における真の終末呼気中の炭酸ガス濃度は、ある程度の個人差はあるが、同一人ではほぼ一定である。また、通常の大気中には極少量（約４００ｐｐｍ  、０．０４％）しか含まれていない。従って、被検者の呼気中の炭酸ガス濃度を測定しそれが終末呼気中の炭酸ガス濃度の何倍に希釈されているかがわかれば、呼気中の成分ガスも同率で希釈されていることが推測される。本発明は、この原理に基づき、呼気検査を行う場合に必要な成分ガスとともに炭酸ガスの濃度も同時に測定し、終末呼気中の炭酸ガス濃度で換算して、成分ガスの正確な濃度（補正濃度）を算出するものである。尚、前記希釈には、呼気のサンプリング中の空気の混入の他、肺胞における不十分なガス交換（通常の呼吸等）の場合も含む。また、呼気とは分析装置に直接に吸引するものを言い、呼気試料とはバッグ等に採取したものを言うが、以下では混用することもある。
【００１１】
ところで、従来呼気中成分ガス濃度を測定する場合に、炭酸ガスも同時に測定する技術は幾つか知られている（例えば、特許文献１参照、特許文献２参照）。特許文献１には、一酸化炭素とともに炭酸ガスを測定する技術が示されている。また、特許文献２には、アルコールとともに炭酸ガスを測定する技術が示されている。しかし、前者は、被検者の口腔内の圧力を上昇させて鼻腔などからの物質を排除して呼気を分析するものであって、一酸化炭素や炭酸ガス以外に酸素、窒素その他の多種類の成分を測定対象とし、一酸化炭素と炭酸ガスの間には、本発明で示すような関係は全く論じられていない。後者は、血中アルコール濃度の信頼性を確認する方法であって、呼気中のアルコール濃度の判断基準に炭酸ガス濃度を利用する点では本発明と同じであるが、炭酸ガス濃度がある閾値に達しない場合にはアルコール濃度を表示しない即ちネグレクトしてデータには含めないことを特徴とする点において本発明とは全く異質のものである。即ち、本発明は以下にも説明するように、たとえ一酸化炭素やアルコールの濃度が幾ら低くてもその場合には炭酸ガス濃度も低い値を示すことから、炭酸ガスの希釈倍率で補正して、必ず一酸化炭素やアルコールの濃度を表示するものである。このように、終末呼気中の炭酸ガス濃度で補正すると言う考え方は、後者の発明中には一切見られない。
【００１２】
【特許文献１】
特表２０００−５０６６０１号公報（１−２頁、）
【特許文献２】
特開平９−１６４１３０号公報（１−３頁）
【００１３】
次に、（真の）終末呼気中の炭酸ガス濃度について説明する。まず、呼気検査器のマウスピース等からゆっくり終末呼気を吹き込んだ場合、図１に示すように息堪えの程度で炭酸ガス濃度は変化する。この図から、１５秒〜２５秒程度息堪えした場合、真の終末呼気ということができると判断できる。
【００１４】
一方、種々な段階における呼気中の炭酸ガス濃度（ａ％）と一酸化炭素濃度（ｂｐｐｍ  ）を測定したところ、表１に示すような結果を得た。この中で、試料１（１５秒間息堪えした終末呼気）が真の終末呼気と言える。そして、この真の終末呼気中のＣＯ２  濃度を各試料中のＣＯ２  濃度で除す（５．７／ａ）と、各試料の希釈倍率ｃが求まる。そして、各試料のＣＯ濃度にこの希釈倍率を乗じると、ＣＯの補正濃度が求まる。表１からも明らかなように、ＣＯ補正濃度は、真の終末呼気のＣＯ濃度近似値として十分に使用できるものである（誤差、１〜３％）。尚、試料２及び３はそれぞれ７秒、５秒間息堪えしたもの、試料４〜６は死腔を含んだ呼気である。
【表１】
2004279228.tif 000003
【００１５】
ここで、ＣＯ２  とともにＣＯ濃度を測定してみたのは、以下の理由による。即ち、一酸化炭素（ＣＯ）は物の不完全燃焼で発生し、肺に吸入されれば赤血球のヘモグロビンと強く結合して一酸化炭素ヘモグロビン（ＣＯＨｂ）となり、ヘモグロビンの酸素供給能を低下させる。一酸化炭素ヘモグロビン飽和度（ＣＯＨｂ％）が１０％程度までは自覚症状は現れないがそれ以上では頭痛などが生じ、７０％を超えれば死亡に至る。そして、ＣＯＨｂ濃度が高ければ、たとえ周囲空気が清浄になっても呼気中にＣＯが含まれて排出し続ける（外因性）。また、血中赤血球の寿命が来てヘモグロビンが分解するときのヘム核解裂時にＣＯが放出され上昇する（内因性）。これらの二つの要因でＣＯは呼気（肺胞気）中に含まれるものである。
【００１６】
この内前者は、化石燃料などの燃焼過程での生成や喫煙などにより生じたＣＯの吸引から血液中のＣＯＨｂが上昇する場合であり、火災などの不慮の事故によるＣＯ中毒で最悪の場合死に至ることも珍しいことではない。一方後者は、Ｈｅｍｅ  ｏｘｙｇｅｎａｓｅ（ＨＯ−１、ヘム酸化酵素）が亢進したときに、
ヘム核  →  Ｆｅ（＋＋イオン）＋ＣＯ＋ビリベルジン
の反応が進行しヘム核１個から１分子のＣＯが産生されるものである。これは、血中赤血球の生体内における寿命が１２０日と言われていることから、健常な生命活動においても数ｐｐｍ  （通常２〜３ｐｐｍ  、平均約２．５ｐｐｍ  程度）のＣＯが呼気に出現している。ただ、ＨＯ−１が亢進する症状、即ち、活性酸素（フリーラジカル）による酸化ストレスがかかったときは、ＣＯ産生が増加することが知られている。
【００１７】
そこで従来から、火災などの不慮の事故によるＣＯ中毒が懸念される場合、患者のＣＯＨｂ％を測定することが行われている。これは、患者の動脈血を採血しヘモキシメーターで分析するものであるが、分析に時間がかかるとともに、患者に苦痛を与える欠点がある。
【００１８】
一方、図２に示すように、呼気中ＣＯ（ｐｐｍ  ）と血中ＣＯＨｂ（％）の相関が知られている（Ｓｔｅｗｒｔ  ＲＤ，  ｅｔ  ａｌ；ＪＡＭＡ／２３５；３９０−３９２，１９７６）。ここに、ＣＯは息堪え終末呼気の値、ＣＯＨｂはヘモキシメーターで測定した値である。そこで、息堪え終末呼気中のＣＯ濃度が簡単に測定できれば、採血の手間や時間、患者の苦痛を生じることなく、この図からＣＯＨｂ％の値が簡単に求められることになる。尚、図２のグラフにおいて、左寄りの数値が低い部分（ハッチングの部分）は前述の内因性、右よりの数値の高いは外因性によるものである。同様に、火災による中毒以外にも、喫煙による慢性低レベルＣＯ中毒症状のモニターや、生体変化をリアルタイムにモニターすることが可能になる。
【００１９】
しかし、従来、息堪え終末呼気中のＣＯ濃度を簡単に測定することは、実際上不可能であった。本発明は、呼気中のＣＯ濃度をＣＯ２  濃度と同時に測定することにより、このことを可能にした。ただ、息堪え終末呼気中のＣＯ２  濃度を測定することは、意識のハッキリした健常者でなければ無理である。この問題に対しては、入院患者などにルーチンに行われる動脈血二酸化炭素分圧ＰａＣＯ２  の値が利用できる。即ち、ＰａＣＯ２  （ｍｍＨｇ）を大気圧（７６０ｍｍＨｇ）で除せば、ほぼ、真の終末呼気中のＣＯ２  濃度となるので、この値を用いて真の終末呼気中のＣＯ濃度（補正濃度）とする。ただ、呼気の測定は完全に無侵襲（非侵襲）であるが、１回だけとは言え採血するので、このＰａＣＯ２  を利用する場合は、低侵襲と言うことになる。
【００２０】
次に、呼気バッグに終末呼気を吹き込み、これを郵送してもらうような場合について説明する。この場合、前述の方法（息堪え法やＰａＣＯ２  法）は採りえない。このような場合、多少の誤差は覚悟の上で、ある値を代表として採用する。邦人の場合、真の終末呼気中ＣＯ２  濃度は、４．０〜７．５％、通常は４．５〜６．５％の間に分布すると言われている（喫煙者は高く、女性は男性に比べて低く、また２０才台で低値で加齢とともに暫時増加傾向）。従って、バッグ中の呼気試料を測定して、ＣＯ２  濃度が４．５〜５．０％（この間の任意値に設定）に満たない場合、終末呼気炭酸ガス濃度を４．５〜６．５％、より好ましくは５〜６％の範囲内の任意の値（例えば５．５）に設定し、この設定した値（５．５％）を真の終末呼気中のＣＯ２  濃度としてＣＯの補正濃度を算出するようにする。但しこの場合、４．５％よりも低いようであれば、再度のバッグへの呼気採取を依頼するようにすればよい。或いは、同一人が何度もバッグを送付してくるような場合、過去のデータの中で最も高いＣＯ２  濃度を記録しておき、以後、それを真の終末呼気中のＣＯ２  濃度として使用するのも一方法である。
【００２１】
以上は、呼気中成分ガスが一酸化炭素の場合について説明したが、同様に水素、エチルアルコールなどのアルコール類、メタン等の炭化水素、アルデヒド、アセトン、イソプレン、アンモニアなどについても、炭酸ガスと同時に測定することにより、真の終末呼気中のそれらの成分ガス濃度（補正濃度）を求めることができる。尚これらのガスの測定には、小型で構造や取扱が簡単で且つ信頼性が高いものが望ましいことから、ＮＤＩＲ式（炭酸ガス）、定電位電解式（酸化炭素、水素、エチルアルコール等）、半導体式（メタン等の炭化水素）などのガスセンサが好ましく用いられる。半導体式の場合、感度は高いがガス選択性が悪いため、妨害ガスをフイルター等で除去する必要がある。
【００２２】
【発明の実施の形態】
次に、本発明装置について、図面に示す好適な実施の１形態に基づいて更に詳細に説明する。図３は、本発明に係わる呼気中ＣＯ−ＣＯ２  濃度測定器１の一例を示す概略図で、ＣＯ２  の測定にＮＤＩＲ式式ガスセンサ、ＣＯの測定に定電位電解式ガスセンサを用い、採取系と測定演算系を一体に構成したものを示す。この測定器１は、試料導入部２、ポンプ３、ＣＯセンサ４、ＣＯ２  センサ５、流速計（フローインジェクター）６、試料排出部７、制御・演算処理部８、データ（終末呼気中のＣＯ２  濃度等）入力のためのテンキー９１や表示部９２・９３・９４、スイッチ類９５を備えた操作部９、出力装置としてのプリンター１０を含んで構成されている。
【００２３】
試料導入部２は、呼気や呼気試料Ｂを注入する注入口２１と、ＣＯの妨害ガス（アルコール等）を除去するフィルター２３を内蔵した本体２２、出口２４とポンプ出入口３１をつなぐパイプ２５からなる。ポンプ３は、呼気試料Ｂを定速で吸引し、ＣＯセンサ４及びＣＯ２  センサ５に定速定圧で送り込む。ＣＯセンサ４は、定電位電解式ガスセンサであり、内部を流通する呼気ガス中のＣＯ濃度を測定し第１の表示部９２に表示する。符号４１はセンサ出入口、３２はポンプ出入口３１とセンサ出入口４１をつなぐパイプである。測定範囲は、喫煙による慢性低レベルＣＯ中毒症状のモニターや生体変化をリアルタイムにモニターする場合には０〜５０ｐｐｍ  程度のものでよいが、火災による中毒などに対応するには、１〜５００ｐｐｍ  のものを用いるとよい。ＣＯ２  センサ５は、ＮＤＩＲ式式ガスセンサであり、内部を流通する呼気ガス中のＣＯ２  濃度を測定して同じく第１の表示部９２に表示する。測定範囲は、０〜１０％程度あればよい。符号５１はセンサ入口、５２はセンサ出口、４２はＣＯセンサ出入口４１とＣＯ２  センサ入口５１をつなぐパイプである。センサ出口５２から押し出された呼気は、パイプ５３を通って流量計６に至る。流量計６から出た呼気ガスＢは、パイプ６３を通って試料排出部７から器外へ排出される。符号６１は流量計６の入口、６２は出口である。
【００２４】
しかして、呼気採取具１１（図４）や呼気採取バッグ１２（図５）などから供給される呼気や呼気試料Ｂは、ポンプ３に吸引されて各ガスセンサ４、５に至る。吸引速度は例えば２００ｍｌ／分である。測定結果は、ＣＯ２  、ＣＯとも表示部９２に示される。表示間隔は、数〜数十秒ごとでもよいし、一定の時間間隔毎の最高値を示すようにしてもよい。尚、ＣＯセンサ４とＣＯ２  センサ５は行路差があるため、その差を電気的に処理して同一サンプル部分の値を同時に表示するようにする。次に、真の終末呼気中の炭酸ガス濃度％をテンキー９１から入力し表示部９４に表示させるとともに、第１の表示部９２に示されたＣＯ２  、ＣＯ濃度から換算された補正濃度を、第２の表示部９３に表示する。一方、これらの値をプリンター１０から出力するようにしてもよい。尚、これらの演算や装置全体の制御は制御・演算処理部８で行う。
【００２５】
次に、本発明で使用する呼気採取具１１や呼気採取バッグ１２の一例を示す。呼気採取具１１は、図４に示すように一端１１１から呼気Ｂを吹き込み、他端１１２から排出するようになっている。そして、中央出口１１３から終末呼気が採取されるが、採取は約２００ｍｌの死腔空気を排出した後に行われる。中央出口１１３の上部には、フイルター収納部１１４（符号１１５はフイルター）がある。一端１１１にはマウスピース１１６を装着するようになっており、他端１１２には逆止弁１１７が組み込まれている。尚、意識不明者などマウスピースをくわえることが出来ない患者の場合、フェイスマスクを使用するとよい。
【００２６】
呼気採取バッグ１２は、図５に示すようにガス透過性の低い可撓性部材からなる容器本体１２１の一端部にキャップ１２２を有する呼気吹き込み口１２３、他端部にキャップ１２４を有する呼気吹き出し口１２５を備えたものである。そして、呼気吹き込み口１２３をくわえて約２００ｍｌの死腔空気を排出したのちキャップ１２４を締め、続いて終末呼気を吹き込んでからキャップ１２２を締めて呼気のサンプリングを終えるものである。
【００２７】
【発明の効果】
以上説明したように本発明方法は、呼気又は呼気試料中の成分ガス濃度を測定する場合に、併せて炭酸ガス濃度を測定し、炭酸ガス濃度を終末呼気炭酸ガス濃度に換算した場合の換算率で成分ガスの濃度を換算し、該換算した成分ガス濃度（補正濃度）をもって、終末呼気中の成分ガス濃度とするものである。
【００２８】
従って、息堪え終末呼気の採取或いは動脈血ＰａＣＯ２  の測定による被検者の終末呼気炭酸ガス濃度がわかれば、通常の呼吸状態の呼気から、正確で再現性（信頼性）のある呼気ガス成分の測定が可能になる。
【００２９】
そのため、急性アルコール中毒や一酸化炭素中毒など緊急な測定に迅速に対処できるし、意識がない重症患者や小児の呼気分析も容易に行えるなどの効果がある。
【００３０】
また、被検者の終末呼気炭酸ガス濃度が未知或いは測定しえないような場合、終末呼気炭酸ガス濃度を５〜６％の範囲内の任意の値として濃度を換算するようにすれば、バッグ詰めの呼気試料を遠方に搬送して分析するような場合でも、ほぼ正確な分析結果を得ることができる。
【００３１】
もともと、呼気は人が生命を維持している限り連続して間欠的に放出されるものであり、その採取は完全に無侵襲である。そのうえ、肺における外呼吸により血液とガス交換を行うため、揮発成分に関しては臨床生化学検査の分野において血液以上に優れた情報源である。また、血液分析と異なり装置や器具がありさえすれば、瞬時に測定結果が得られる利点があるが、本発明により、信頼性の高い呼気分析ができる利点は、極めて大きいものと言うことができる。
【００３２】
また、本発明の呼気中成分ガス濃度測定装置は、炭酸ガスや一酸化炭素、水素、アルコール、メタンなどの測定に、小型で取り扱いやすくしかも感度の高いガス検知器を使用している。従って、多数のガスの測定には向かないが、構造が簡単で安価に得られ、且つ取扱が容易な特徴を有する。
【図面の簡単な説明】
【図１】息堪えの時間（秒）と終末呼気中炭酸ガス濃度（％）との関係を示すグラフである。
【図２】息堪え終末呼気中のＣＯ濃度（ｐｐｍ  ）と血中ＣＯＨｂ（％）の関係を示すグラフである。
【図３】本発明に係る呼気中ＣＯ−ＣＯ２  濃度測定器の一例を示す概略図である。
【図４】本発明で使用する呼気採取具の一例を示す断面図である。
【図５】本発明で使用する呼気採取バッグの一例を示す斜視図である。
【符号の説明】
１      呼気中ＣＯ−ＣＯ２  濃度測定器
２      試料導入部
２２    本体
２３    フィルター
３      ポンプ
４      ＣＯセンサ
５      ＣＯ２  センサ
６      流速計
８      制御・演算処理部
９      操作部
９１    テンキー
９２・９３・９４      表示部
Ｂ      呼気又は呼気試料
【図１】
2004279228.tif 000004
【図２】
2004279228.tif 000005
【図３】
2004279228.tif 000006
【図４】
2004279228.tif 000007
【図５】
2004279228.tif 000008